(57)【特許請求の範囲】
【請求項１】
挿通口１と縫着口２を中間片３で分離配置した略日字状の本体を形成し、挿通口１内に締着板４を遊動自在に配し、縫着口２の端辺５にはベルトＢの基端を巻装縫工し、ベルトＢの先端を裏面より締着板４に挿入して表面へ引き通す高所作業用の安全帯用バックルにおいて、余長部Ｂ２をさらに縫着口２へ挿入して、ベルトの重合縫工部Ｂ１下に余長部Ｂ２を重合収容する構成を特徴とする安全帯用バックル。
【請求項２】
挿通縫着口６を設けて略口字状の本体を形成し、挿通縫着口６内を遊動する締着板４を配し、一端辺５にはベルトＢの基端を巻装縫工し、ベルトＢの先端を裏面より締着板４に挿入して表面へ引き通す高所作業用の安全帯用バックルにおいて、余長部Ｂ２をさらに締着板４を越して裏面へ引き通し、ベルトＢの重合縫工部Ｂ１下に余長部Ｂ２を重合収容する構成を特徴とする安全帯用バックル。
【発明の詳細な説明】
【０００１】
【発明の属する技術分野】
本願は建設工事現場等の高所で作業する際に、墜落を防止するため使用する高所作業用安全帯に関するものであり、特には腰部に巻装する胴締めベルトのバックルに関するものである。
【０００２】
【従来の技術および発明が解決しようとする課題】
従来より用いられている、高所作業用安全帯のバックルを図７に示すが、これは挿通口の裏面より表面側へベルト先端を通し、縫着部を覆って再度縫着口端辺際よりバックル本体の裏面へと挿通するものであった。縫着口裏面より出たベルト先端部は縫工された部分の上面へ重合して遊帯Ｙ内に挿通され、安全帯装着中の前腰部をすっきりと整えるものであった。
このバックル締着後の余長部がきちんと縫着口および遊帯Ｙ内に挿通されていないと、挿通口内での締着が十分に行われないものである。
【０００３】
安全帯にとってバックルでのベルト締着は重要な要素であり、この締着が不用意に解かれると、いくらロープ部先端のフックで構築物との連結が確実になされていても墜落は免れないものである。また確実に締着されていないと墜落時の引留の際、衝撃でベルトより人体が抜ける恐れも考えられる。
バックル締着後の余長部が仮に縫着口に再挿通されず、遊帯Ｙで重合処理されていないとすると、図８に示すよう、厚織で剛性の強いベルト余長部は挿通口表面側で直立する傾向があり、僅かな振動でも締着板が弛む方向へ移動する。
また、安全帯を使用する人の体型により、この余長部が思わぬ事故の原因となることも考えられる。
例えば、細身の人が装着した際に余長が普通より長く出た場合、遊帯処理を行うと、その長さは３０Ｃｍ近くになり、作業中に何かに挟まって、作業位置を移動する時に、移動が阻害され、急に後ろへ引かれることになる。
よって、高所の足場より踏み外すようなことも考えられる。
【０００４】
締着板は二重構造で、ベルトが本体裏面より挿通され縫着口表面へ至る際の断面は略Ｚ字状に屈曲されているものであり、締着板下板と締着板上板の斜めに相対する２接線を有する構成にベルトを挿通接触することにより締着力を得るものである。
両板は同体の締着板内において一定間隔で固定されているものであり、その締着力は締着時の人体腹圧で裏面側のベルトが引かれることにより締着板上板が本体の挿通口端縁に押圧されて維持されるもので、裏面においてベルトを引く力が大きいほど上板と本体挿通口端縁に加わる力は大きくなり、締着力が増す。またＺ字状の屈曲はこの上板、下板の両ベルト接触点が機能する構成の維持を保証するための形状的要素であり、挿通口表面へ突出したままＬ字状で余長部が放置されるとその締着力は不確かなものとなり、装着者の動作とともに弛んだり、作業中に構築物等と接触して一気に締着が弛むこともあった。
【０００５】
以上のようにバックルにおいて挿通後の余長処理は重要なものであるが、時として遊帯Ｙまで挿通処理されないことがあった。
これは遊帯Ｙがベルトのバックル縫着部近辺に挿通されているだけで、その名の如く自由に移動し、余長端が届かない位置に有ることも多いためであり、また自由に移動する事で装着者の体格の相違による余長の違いに対応するものであり、煩わしいけれど遊帯Ｙを移動させ、きちんと余長処理するように、と指導するほかなかった。
【０００６】
【課題を解決するための手段】
本願ではこのような事態を解決すべく、その締着後の余長を表面に出さないことで余長処理の問題をなくし、解決を図るものである。
その構成としては、縫着部の手前で裏面側へ挿入して縫工部Ｂ１裏面に余長部Ｂ２を重合することにより余長端が表面へ出ないようにするものである。
【０００７】
【実施例】
本願の実施例を示す。
図１，２は第１実施例を示すものであり、板材で形成した略横日字状の本体において、先端側の空間をベルトＢの挿通口１とし、基端側の空間を縫着口２とする。挿通口１には締着板４を口内遊動自在に配置する。
この締着板４は上下２層構造で、締着板上板４１と締着板下板４２で構成される。締着板上板４１の先端は本体挿通口１の端縁と当接して、ベルトＢの挟着を行うものである。
締着板下板４２はベルト折返し口４３を有し、その先端縁はベルト締着状態に移動した際において、本体挿通口１端縁とほぼ同一面上に位置するものである。よってバックル下面のベルト折返し口４３より進入し、締着板上板４１と本体挿通口１の両端縁で挟着され、縫着口２へ再挿入されたベルトＢは略Ｚ字状に屈曲するものである。つまり、折返し口４３端縁には常に腰部締着の腹圧が作用しており、この力が同体である締着板上板４１の端縁を本体挿通口１端縁へと押し付けるため、締着状態が維持されるものである。
挿通口１と縫着口２を仕切る中間片３は締着板４の移動限界となるものである。
縫着口２端の本体基端辺５にはベルトＢを縫着するのであるが、本体の基端辺に先記締着板４を常時挿通口１端縁方向へ押し付けるバネ９を有するバネホルダー１０を巻装し、その上にベルトＢを折り返して重合縫工する。
以上の構成の本願であるが、装着にあたっては裏面の締着板下板４２の折返し口４３よりベルト先端を挿入し、表面側へ引き出して締着板上板４１と本体挿通口１端縁間に挿通し、縫着口２のベルトＢと中間片３の間へ挿入して、ベルトの重合縫工部Ｂ１下へと引き出すものである。
よって、ベルトの締着状態は、側断面略Ｚ字状となり、不用意に弛むことがないものである。
【０００８】
図４は本願の第２実施例を示すものであり、挿通口と縫着口を同体に設けるものであり、中間片３を無くしてより小型、簡易な構成とし、軽量化を図ったものである。締着板４は同等のものを使用するものであり、得られる効果等は同等である。
【０００９】
また、図５は請求項３を示すものであり、縫着口２を打抜く際にその打ち抜き代を中間片３側１辺を残して３辺を切断し、裏面側へ傾斜させて設け、余長端を表面側より裏面へ挿入の際のガイドとするものである。よって余長ベルト端はベルト基端の重合縫工部Ｂ１下へと自然に導かれ、先端が腹部の衣服に引っかかったりせずに重合を容易とするものである。
またこの傾斜を設けるにあたっては、急傾斜より徐々に緩傾斜とし、最終的には本体の水平軸と同調させることによりベルト基端重合縫工部Ｂ１と余長端重合を容易とする。
【００１０】
図６は請求項４を示すものであり、中間片３の縫着口２側への傾斜に加えて裏面の本体両側よりガイド片７を同傾斜で設け、中間片３の傾斜に沿って進入してくるベルト余長端の進行方向を制限し、重合縫工部Ｂ１下へ導いて裏面重合を容易とするものである。
【００１１】
【発明の効果】
以上のように本願構成のバックルを採用することにより、ベルト先端部の余長部分がベルトの基端バックル縫工部Ｂ１の下へと収容され、余長端部が構築物等に接触して不用意に弛むとか、だらしない装着感を他人に与えるとかの課題が改善されるものである。
また、余長部が重合下層として収容されることにより、人体腹部と表層ベルトとの間に挟着されて、常時腹圧が加わり、弛みが発生しないものである。
このようにバックル締着の弛みを防止することにより、墜落発生時の引留衝撃による、ベルトよりの人体の抜けを防止するものである。
【図面の簡単な説明】
【図１】本願バックルの正面図。
【図２】図１の中央横断面図。
【図３】本願の挿通状態を示す断面図。
【図４】第２実施例の正面図。
【図５】請求項３を示す断面図。
【図６】請求項４を示す断面図。
【図７】従来品の挿通状態の斜視図。
【図８】従来品の挿通状態の断面図。
【符号の説明】
１  挿通口
２  縫着口
３  中間片
４  締着板
５  端辺
６  挿通縫着口
７  ガイド片
８  ガイド体
９  バネ
１０  バネホルダー
４１  締着板上板
４２  締着板下板
４３  折返し口
Ｂ  ベルト
Ｂ１  縫工部
Ｂ２  余長部
Ｙ  遊帯
【図１】
0003558949.tif 000002
【図２】
0003558949.tif 000003
【図３】
0003558949.tif 000004
【図４】
0003558949.tif 000005
【図５】
0003558949.tif 000006
【図６】
0003558949.tif 000007
【図７】
0003558949.tif 000008
【図８】
0003558949.tif 000009